(57)【要約】      （修正有）【課題】電源冷却ファンが故障した場合は、電源の電力負荷が大きいまま長時間稼動させると、電源が故障する可能性があるため、出来る限り電力負荷を小さくするか、電源を遮断するのが望ましいが、電源冷却ファンが故障した場合でも、ユーザに通知できるように制御する。【解決手段】冷却手段４０７、文字表示手段２０２、電源状態表示手段５０５、電源制御手段３０９を有する情報処理装置において、冷却手段４０７に問題が発生した場合に、文字表示手段２０２により問題が発生したことを一時的に表示した後に、電源制御手段３０９により文字表示手段を含む電源を遮断し、電源状態表示手段５０５の表示を通常状態と異なる表示を行う。【選択図】図４
2013218368.tif 000002
【特許請求の範囲】
【請求項１】
冷却手段（４０７）と、文字表示手段（２０２）と、電源状態表示手段（５０５）と、電源制御手段（３０９）を有する情報処理装置において、
冷却手段（４０７）に問題が発生した場合に、文字表示手段（２０２）により問題が発生したことを一時的に表示した後に、電源制御手段（３０９）により文字表示手段を含む電源を遮断し、電源状態表示手段（５０５）の表示を通常状態と異なる表示を行うことを特徴とする情報処理装置。
【請求項２】
前記電源状態確認手段は光学的に点灯する手段であり、通常状態は点灯、通常状態と異なる表示は点滅であることを特徴とする請求項１に記載の情報処理装置。
【請求項３】
前記電源制御手段は、特定の入力に応じて、文字表示手段の電源を投入し、一時的に前記問題の発生を表示することを特徴とする請求項１に記載の情報処理装置。
【発明の詳細な説明】
【技術分野】
【０００１】
本発明は、情報処理装置およびその電源制御方法に関するものである。
【背景技術】
【０００２】
プリンタやMFP等の機器において、機器に何らかの問題が発生し、正常に動作出来ない場合、操作画面等にエラーを表示することにより、ユーザに通知を行っている。
【０００３】
また、これらの機器の発熱を抑えるために、冷却ファン等の冷却手段を用いることにより、正常な動作を行うことが可能となる。
【０００４】
冷却ファンが故障した場合、正常な動作を行うことが出来ないため、操作画面にエラー表示を行うなど、ユーザに通知するのが望ましい。
【０００５】
例えば、特許文献１に記載された発明では、電源冷却ファンの故障を検知して、故障信号を生成するものである。
【０００６】
電源冷却ファンが故障した場合は、電源の電力負荷が大きいまま長時間稼動させると、電源が故障する可能性があるため、出来る限り電力負荷を小さくするか、電源を遮断するのが望ましい。
【先行技術文献】
【特許文献】
【０００７】
【特許文献１】特開2000-065408号公報
【発明の概要】
【発明が解決しようとする課題】
【０００８】
しかしながら、電源を遮断してしまうと、操作画面にエラーを表示することが出来ないため、ユーザに故障を通知することが出来なくなる。
【０００９】
本発明では、情報処理装置において電源冷却ファン等の冷却手段が故障した場合でも、ユーザに通知できるように制御することを目的とする。
【課題を解決するための手段】
【００１０】
本発明に係る情報処理装置の構成は、
冷却手段（４０７）、文字表示手段（２０２）、電源状態表示手段（５０５）、電源制御手段（３０９）を有する情報処理装置において、
冷却手段（４０７）に問題が発生した場合に、文字表示手段（２０２）により問題が発生したことを一時的に表示した後に、
電源制御手段（３０９）により文字表示手段を含む電源を遮断し、電源状態表示手段（５０５）の表示を通常状態と異なる表示を行うことを特徴とする。
【発明の効果】
【００１１】
本発明により、情報処理装置において、冷却手段に問題が発生した場合でも、ユーザに通知できるように制御することが可能となる。
【図面の簡単な説明】
【００１２】
【図１】システム構成を示すブロック図である。
【図２】ＭＦＰ102の構成を示すブロック図である。
【図３】制御部201の構成を示すブロック図である。
【図４】電力供給状態と電力供給制御の構成を示す図である。
【図５】詳細な処理の流れを示すフローチャートである。
【発明を実施するための形態】
【００１３】
図1は本実施例のシステム構成を示すブロック図である。
101はPCである。102はＭＦＰ（マルチファンクション周辺機器）である。103はPC101とＭＦＰ102とを接続し、画像データ等のデータ伝送を行うためのネットワークである。なお、PC101とＭＦＰ102との接続は、ローカル接続であっても構わない。
【００１４】
図２はＭＦＰ102の構成を示すブロック図である。
【００１５】
201は制御部であり、ＭＦＰ102の各構成202-205を制御する。制御部201の詳細は、図3を用いて後述する。202は操作部であり、表示部と入力部とを有し、表示部によりユーザにＭＦＰ102の操作画面を提供すると共に、入力部によりユーザからＭＦＰ102に対する各種操作を受け付ける。また操作部202は、省電力状態もしくはスリープ状態とスタンバイ状態とを移行させるためのスイッチも有する。203は読取部であり、原稿を読み取り画像データに変換して制御部201に入力する。204は印刷部であり、制御部201により画像処理を実行された画像データに基づいて、出力用紙に画像形成を実行する。206は電力供給部であり、ＭＦＰ102の各構成201-204に対して電力を供給する。
【００１６】
図3は制御部201の構成を示すブロック図である。
【００１７】
301はCPUであり、RAM303に展開されたプログラムに基づき、ＭＦＰ102の各構成202-205やＭＦＰ制御部201の各構成302-309を制御する。302はROMであり、CPU301が実行するブートプログラム等を記憶する。303はRAMであり、CPU301が実行するOSやアプリケーションプログラム等がHDD304 から展開される。304はHDDであり、CPU301 が実行するOSやアプリケーションプログラム等を記憶する。305は画像プロセッサであり、画像メモリ306に記憶された画像データに対して各種画像処理を実行する。306は画像メモリであり、読取部203やネットワークIFまたはFAX IFから入力された画像データを一時的に保持する。307はネットワークIFであり、PC101 等の外部装置から画像データ等の入出力を行う。308はFAX IFであり、不図示の公衆回線を通じてFAXデータの入出力を行う。309は電力供給制御部であり、電源部205からＭＦＰ102の各構成201-204や制御部201の各構成301-307への電力供給状態を切り換える。
【００１８】
図4は電源部205の各構成に対する電力供給状態とCPU301や電力制御部309の各構成に対する電力供給制御および信号制御の構成を示す図である。太い実線の矢印は電力供給を、点線の矢印は電力供給制御を示す。
【００１９】
401はAC電源であり、電源スイッチ404およびリレースイッチ405を介して副電源402に電力を供給する。またAC電源401は、リレースイッチ406を介して主電源403に電力を供給する。402は副電源であり、電源制御部309の各構成やFAX着信回路506やネットワーク応答回路507に対して電力を供給する。
電源スイッチ404は、ユーザによってON/OFFが切り替え可能であり、電源スイッチ404のON/OFFに応じて、SW#MON信号がトリガ制御部501に出力される。リレースイッチ405は、トリガ制御部501のRELAY#ON信号に応じて、ON/OFFが切り替えられる。
【００２０】
403は主電源であり、電源冷却ファン407およびCPU301に電力を供給する。リレースイッチ406は、トリガ制御部501のRMT#SYS信号に応じてON/OFFが切り替えられる。なお、主電源403は、図示しないリレースイッチを介して、図示しないＭＦＰ102の各構成201-205や制御部201の各構成301-307にも電力を供給することとしてもよい。
【００２１】
407は電源冷却ファンであり、主電源403の発熱を抑える働きをし、回転停止などのエラーが発生した場合、エラー信号であるFAN#ERROR信号をトリガ制御部501に出力する。なお、副電源402については、電力負荷が小さいため電源冷却ファンは不要となっている。
【００２２】
501はトリガ制御部であり、CPU301や操作部202やネットワークIF307およびFAX IF308、リレースイッチ404からの信号入力を検出し、RELAY#ON信号およびRMT#SYS信号、RMT#NETFAXの各信号を出力することによりリレースイッチ405、406、503、504をON/OFFする。502はLED制御回路であり、LED505のON/OFFおよび点滅を制御することが可能である。点滅制御はハード回路により、例えば0.5秒毎にONとOFFを繰り返すように制御する。
【００２３】
CPU301はCPU#CNT信号によりトリガ制御部501の制御を行うとともに、トリガ制御部501のステータス信号STSを受け取る。
【００２４】
506はFAX着信回路であり、公衆回線からのFAX着信を検知する。
【００２５】
507はネットワーク応答回路であり、ネットワーク経由での問い合わせに返信したり、プリントジョブが入力されたことを検知する。
【００２６】
本実施例の詳細な処理の流れについて、図5を用いて説明する。
【００２７】
S501において電源スイッチ404がONされると、S502において副電源402がONされ、LED505が点灯する。またFAX着信回路506とネットワーク応答回路の電源もONされる。またS502において、RMT#SYS信号が入力されると、リレースイッチ406をONすることにより、主電源403がONされ、さらに電源冷却FANが起動する。S504においてCPUが起動しスタンバイ状態となる。
【００２８】
S505ではファンエラーが発生しているか検知する。例えば、1秒ごとにファンエラー信号FAN#ERR0R信号を検知して、10回以上連続して検知した場合にエラーとして処理を行う。S505でファンエラーが発生していない場合、S506でスリープ移行するかどうかを判断する。スリープ移行は、操作部202のスリープ（電源）ボタンを押すか、スタンバイから所定の時間経過後にS507のスリープ移行制御を行う。S507のスリープ移行制御を行った後、S508の主電源OFFを行うことにより、副電源402のみONされた省電力モードとなる。このスリープ状態ではLED505は点灯状態となる。
【００２９】
S505でファンエラーを検知した場合、S510で操作部202にエラー画面を表示し、S511でLED505を点滅させる。S510のエラー表示を約20秒間行った後、S512のスリープ移行制御を行い、S513で主電源403をOFFする。ここでのスリープ移行制御は、S507の正常時のスリープ移行制御と同等である。エラー表示を行う時間は、電源冷却ファン407が止まっている状態でも主電源403が故障しない時間を予め設定しておく。
【００３０】
次に、さらにS514でFAX着信回路506およびネットワーク応答回路507の電源をOFFすることにより、FAX受信およびネットワークプリントデータの受信ができないようにする。
【００３１】
S509でスリープ復帰要求があった場合、S503で主電源403をONし、以下前述のように起動を行う。S509でのスリープ復帰要求には、操作部202のスリープ（電源）ボタン、FAX着信、ネットワークからのプリントがあるが、電源冷却ファン407が故障している場合には、操作部202のスリープ（電源）ボタンのみが有効になる。
【００３２】
以上のように、電源冷却ファンが故障している場合、LED505が点滅することにより、ユーザに注意を促すことが可能である。さらに、操作部202のスリープ（電源）ボタンでスリープ復帰させると短時間エラー表示を行うため、故障していることを通知することが可能になる。また、スリープ制御と同様な処理を行う事で対応が可能であるため、ハード構成、ソフト対応の変更点も少なくすることが可能である。
【符号の説明】
【００３３】
101  PC
102  ＭＦＰ
103  ネットワーク
【図１】
2013218368.tif 000003
【図２】
2013218368.tif 000004
【図３】
2013218368.tif 000005
【図４】
2013218368.tif 000006
【図５】
2013218368.tif 000007